(57)【要約】【課題】本発明は、保護層の上から斜め方向に加わるＸＹ軸方向の応力（せん断力）の接地圧分布を算出できる圧力センサーシートを提供することを目的とする。【解決手段】第一電極と第二電極との間に形成される絶縁層が異なる特性をもつ複数層で構成されている発明であり、タイヤ、靴底、トラックポイントなどの真の接地状態を測定するための装置に使用できるようにした。【選択図】図１
2020046372.tif 000002
【特許請求の範囲】
【請求項１】
基板上に第一電極が形成され、
前記第一電極上に複数の絶縁層が形成され、
前記絶縁層上に第二電極が形成され、
前記第二電極上に保護層が形成された圧力センサーシートであって、
前記保護層上から加わるせん断力を算出できる圧力センサーシート。
【請求項２】
前記複数の絶縁層が、弾性率が高い層の上に弾性率が低い層が積層構成されている、
請求項１に記載の圧力センサーシート。
【請求項３】
前記複数の絶縁層が、気泡サイズの異なる複数の発泡体で構成されている、
請求項１または請求項２のいずれかに記載の圧力センサーシート。
【請求項４】
前記複数の絶縁層が、粘弾性の異なる複数の電気粘性流体で構成されている、
請求項１または請求項２のいずれかに記載の圧力センサーシート。
【請求項５】
タイヤ、靴底、トラックポイントのいずれかの接地状態を測定するための装置に使用される、
請求項１から請求項４のいずれかに記載の圧力センサーシート。
【発明の詳細な説明】
【技術分野】
【０００１】
本発明は、タイヤ、靴底、トラックポイントなどの接地状態を測定するための装置に使用するための複数の絶縁層が形成されたせん断力を算出できる圧力センサーシートに関する。
【背景技術】
【０００２】
従来、タイヤの接地状態などを測定する方法として、下記特許文献１に開示された発明が知られている。この発明は、タイヤを接地させるための表面を有する基体と、前記基体の前記表面上に配されかつ複数の圧力測定点を有する圧力センサーシートと、前記圧力センサーシートの表面を覆う保護シートなどから構成され、前記圧力センサーシートは第１線状電極と第２線状電極との間に圧縮されたときの変形量に応じて電気抵抗が小さくなる樹脂が充填されている構造の発明である。
【０００３】
そして、この樹脂の電気抵抗は、シートの外面を押圧する力が大きくなると減少する。そのため、第１線状電極と第２線状電極との平面視での交点において、シートが押圧されることにより、第１線状電極と第２線状電極との電気抵抗が小さくなる。したがって、前記電気抵抗が測定されることにより、交点での樹脂に作用する力を測定することができ、タイヤの接地面形状及び接地圧分布が得られる。
【先行技術文献】
【特許文献】
【０００４】
【特許文献１】特開２０１８−７２０４１号公報
【発明の概要】
【発明が解決しようとする課題】
【０００５】
しかしながら、前記交点での樹脂に作用する力で検出できるのは、Ｚ軸方向（線状電極と垂直方向）の成分のみであり、ＸＹ軸方向（タイヤが移動する方向をＸ軸、それと垂直の方向をＹ軸）の成分については検出できない。すなわち、このような構造の圧力センサーシートでは、Ｚ軸方向の接地圧分布のみが得られるだけで、例えば、タイヤが接地面に及ぼす斜め方向に加わるＸＹ軸方向の応力（せん断力）の接地圧分布を測定することはできない。したがって、タイヤと接地面との真の接地状態を測定することになっておらず、タイヤの性能等を測定する試験装置としては不十分であるという問題があった。
【０００６】
本発明は、以上のような実状に鑑み案出されたもので、保護層の上から斜め方向に加わる応力（せん断力）をも算出できる圧力センサーシートであって、その基本として前記第一電極と第二電極との間に形成される絶縁層が異なる特性をもつ複数層で構成されている発明であり、タイヤ、靴底、トラックポイントなどの真の接地状態を測定するための装置に使用できる。
【課題を解決するための手段】
【０００７】
すなわち、本発明の第一実施態様は、基板上に第一電極が形成され、前記第一電極上に複数の絶縁層が形成され、前記絶縁層上に第二電極が形成され、前記第二電極上に保護層が形成された圧力センサーシートであって、前記保護層上から加わるせん断力を算出できる圧力センサーシート、である。
【０００８】
また、本発明の第二実施態様は、前記複数の絶縁層が、弾性率が高い層の上に弾性率が低い層が積層構成されている圧力センサーシート、である。また、本発明の第三実施態様は、前記前記複数の絶縁層が、気泡サイズの異なる複数の発泡体で構成されている圧力センサーシートである。また、本発明の第四実施態様は、前記複数の絶縁層が、粘弾性の異なる複数の電気粘性流体で構成されている圧力センサーシートである。また、本発明の第五実施態様は、タイヤ、靴底、トラックポイントのいずれかの接地状態を測定するための装置に使用される圧力センサーシートである。
【発明の効果】
【０００９】
本発明の圧力センサーシートは、基板上に第一電極が形成され、前記第一電極上に複数の絶縁層が形成され、前記絶縁層上に第二電極が形成され、前記第二電極上に保護層が形成され、前記保護層上から加わるせん断力を算出できることを特徴とする。
【００１０】
したがって、従来のＺ軸方向圧力の接地圧分布だけでなく、斜め方向に加わる応力（せん断力）の接地圧分布も測定することができるので、タイヤや靴底と接地面との間の真の接地状態を測定することができ、タイヤや靴底の真の性能等を測定することができる。また、絶縁層が複数の層から形成されているため、押圧した際のたわみを複数の層で適度に制御できるため、せん断力をより正確に計測することができる。また、たわみを適度に制御できることから絶縁層に加わる負荷も制御でき、絶縁層の耐久性を向上できる効果もある。
【００１１】
また、本発明の圧力センサーシートは、前記複数の絶縁層が、弾性率が高い層の上に弾性率が低い層が積層構成されていることを特徴とする。したがって、弾性率が低い上側の層では押圧した際のたわみに応じた絶縁層の変形が感度良くなされ、弾性率が高い下側の層ではその変形が過度になることを抑制し、その下にある第一電極が破損・劣化しないよう保護する効果がある。また、斜め方向のせん断力の測定値の誤差の原因となるずれを軽減するため、Ｚ軸方向の圧力だけでなくＸＹ軸方向のせん断力の測定値もより正確に計測することができる効果がある。
【００１２】
また、本発明の圧力センサーシートは、前記複数の絶縁層が、気泡サイズの異なる複数の発泡体で構成されていることを特徴とする。したがって、複数の絶縁層が全く同じ材質であっても、弾性率が異なる複数の絶縁層にすることができる。その結果、絶縁層どうしの層間密着力が向上し、絶縁層の耐久性がより向上する効果がある。
【００１３】
また、本発明の圧力センサーシートは、前記複数の絶縁層が、粘弾性の異なる複数の電気粘性流体で構成されていることを特徴とする。したがって、粘弾性が高い上側の層では押圧した際のたわみに応じた絶縁層の変形が感度良くなされ、粘弾性が低い下側の層ではその変形が過度になることを抑制し、その下にある第一電極が破損・劣化しないよう保護する効果がある。また、斜め方向のせん断力の測定値の誤差の原因となるずれを軽減するため、Ｚ軸方向の圧力だけでなくＸＹ軸方向のせん断力の測定値もより正確に計測することができる効果がある。
【図面の簡単な説明】
【００１４】
【図１】本発明の一実施形態の圧力センサーシートの断面図である。
【図２】本発明の圧力センサーシートに真上方向のみから押圧力が加わり、変形した場合の一実施形態を示す断面図である。
【図３】本発明の圧力センサーシートに斜め方向から押圧力（せん断力）が加わり、変形した場合の一実施形態を示す断面図である。
【図４】保護層に切り目をいれた本発明の一実施形態の圧力センサーシートの断面図である。
【発明を実施するための形態】
【００１５】
以下、本発明の実施の一形態を、図面に基づき説明する。本発明の圧力センサーシート１は、基板１０上に第一電極２０が形成され、前記第一電極２０上に複数の絶縁層３０、３１が形成され、前記絶縁層３１上に第二電極４０が形成され、前記第二電極４０上に保護層５０が形成され、前記保護層５０上から加わるせん断力６０を算出できる圧力センサーシートである（図１参照）。なお、第一電極２０と第二電極４０とを入れ替えてもよい。すなわち、基板１０上に第二電極４０を形成し、絶縁層３０上に第一電極２０を形成してもよい。
また、絶縁層３０と絶縁層３１との間に第二電極４０や第一電極２０を形成してもよい。
【００１６】
この複数の層からなる絶縁層は、弾性率が高い絶縁層３１の上に弾性率が低い絶縁層３０が積層構成されていることが好ましい。弾性率が低い絶縁層３０では押圧したせん断力６０のたわみに応じた変形が感度良くなされ、弾性率が高い絶縁層３１ではそのせん断力６０のたわみに応じた変形が過度になることを抑制し、その下にある第一電極２０が破損・劣化しないよう保護する。また、せん断方向の過度なずれはせん断方向測定値の誤差の原因となるため、それを軽減することは結果的に圧力方向だけでなくせん断方向の測定値もより正確に計測することができる。そして、その測定精度が向上すれば結果としてサンプリング速度が速くなる効果もある。
【００１７】
なお、本発明でいう弾性率とは引張弾性率のことであり、絶縁層３０および絶縁層３１をダンベル１号試験片の形状にカットし、微小な変位測定が可能な非接触方式の伸び幅計を使用して、ＪＩＳ Ｋ ７１２７およびＪＩＳ Ｋ ７１６１に準拠した引張試験の方法にて、絶縁層３０および絶縁層３１が受けた引張応力を絶縁層３０および絶縁層３１に生じたひずみで除した値のことを指す。
【００１８】
この複数の層からなる絶縁層は上記に示した二層の場合だけでなく、三層以上形成された層であってもよい。また、上記絶縁層の弾性率の高い低いは、あくまでも絶縁層全体における相対的比較であって、単に絶縁層３０の弾性率が絶縁層３１の弾性率と比較して低いということを表しているだけであって、個々の層の弾性率の絶対的な数値の高い低いを表しているのではない。
【００１９】
すなわち、絶縁層が二層から積層構成される場合、例えば絶縁層３０の弾性率が２ＧＰａで絶縁層３１の弾性率が１ＧＰａであってもよいし。絶縁層３０の弾性率が０．３ＧＰａで絶縁層３１の弾性率が０．０１ＧＰａであってもよい。絶縁層３０の弾性率／絶縁層３１の弾性率の比率は、１．１〜２００の範囲になるよう設定するとよい。絶縁層３０の弾性率／絶縁層３１の弾性率の比率が１．１未満であると、せん断力６０によって生じた変形が絶縁層を通り越して基板１０上の第一電極２０にまで達し、第一電極が劣化または破損しやすくなるという問題が生じる。一方、２００を越えると、せん断力６０によって生じた変形を絶縁層３１のみで吸収して、そのが累積的な負荷により機械的強度が低下し、絶縁層３１の耐久性が低下するという問題が生じる。
【００２０】
絶縁層が三層以上の場合は、第一電極２０に接する絶縁層３０と複数の電極４０に接する絶縁層３１の弾性率の比率を、上記二層の場合と同じように２〜２０００の範囲になるよう設定し、絶縁層３０と絶縁層３１の間の絶縁層の弾性率は、絶縁層３０の弾性率と絶縁層３１の弾性率の中間値になるよう設定するとよい。また、絶縁層３０と絶縁層３１の材質や厚みが同一であっても、絶縁層３０の表面にザグリ状の凹凸をつけて絶縁層３０の弾性率を絶縁層３１の弾性率より高くすることもできる。ザグリ状の凹凸の形状は絶縁層３０の材質や厚みによって適宜選択するとよい。
【００２１】
絶縁層３０、絶縁層３１の材質としては、シリコーン、フッ素、ウレタン、エポキシ、エチレン酢酸ビニル共重合体、ポリエチレン、ポリプロピレン、ポリスチレン、ブタジエンゴムなどの弾性力を有する合成樹脂シートや伸縮性のある不織布シートなどが挙げられる。とくに、シリコーンゲル、シリコンエラストマーなどのシリコーン樹脂系の弾性体シートは、低温から高温まで幅広い温度域で耐久性に優れ、かつ弾性力も優れているので、より好ましい。また、絶縁層３０、絶縁層３１には、絶縁性を維持できる範囲の割合でカーボンブラック、金、銀、ニッケルなどの導電粒子を添加してもよい。絶縁層３０、絶縁層３１が押圧された際、含有されていた導電粒子間の距離が接近して第一電極２０と第二電極４０との間の静電容量値が急上昇するため、それにより後述するせん断力６０の算出方法によって圧力およびせん断力の感度が向上する効果があるからである。導電粒子の平均粒径は絶縁層３０、絶縁層３１の厚みの１０分の１以下が好ましい。
【００２２】
なお、絶縁層３０、絶縁層３１は押出成形などの一般的なシート成形法によりシート化されたものに限定されるわけでなく、印刷やコーターなどによって形成されたコーティング層であってもよい。厚みは２０μｍ〜５ｍｍの範囲で適宜選択すると良い。また、絶縁層３０と絶縁層３１の積層方法は、別々に用意したものを単に接着剤層等を介して貼り合わせする方法であってもよいし、共押し出し法のようにシート化する際に同時に積層してもよい。
【００２３】
シリコーンゲルは、オルガノポリシロキサンなどを主成分とする硬化後にゲル状になる材料であって、耐久性・高安全衛生性といったシリコーン特有の性質と、柔軟性・衝撃吸収性・耐湿性といった低架橋密度（鎖状高分子の相互間を化学的に結合させた網目構造の密度が低い）から生じる特性をもつ。シリコーンゲルで絶縁層３０や絶縁層３１を製造する方法としては、シリコーンゲル材料に硬化促進作用のある触媒とシリコーンゴム材料を添加して配合原料とし、リップコーター、コンマコーター、リバースコーター、ナイフコーターなどの各種コーターでシート化する方法や、予め用意したシリコーンゴムシート上にシリコーンゲル材料を前記各種コーターで塗布して一体成形する方法が挙げられる。
【００２４】
シリコンエラストマーは、直鎖状のシリコーンゴムコンパウンドあるいは液状シリコーンゴムを加硫剤や触媒により架橋させた熱硬化性シリコーンエラストマーのほか、ウレタン系などの他のエラストマーにシリコーンオイルをブレンドしたり、反応性シリコーンオイルと共重合させた熱可塑性のシリコーン変性エラストマーがある。シリコンエラストマーで絶縁層３０、絶縁層３１を製造する方法としては、上記シリコーン原料に補強剤や加硫剤を入れ撹拌混合し、所定の厚みの圧延機にかけシート化する圧延成形が挙げられる。その他、、所定の型に流し込んで熱および圧力をかけて加硫するプレス成形や、押出機にかけシート化する押出成形、カレンダーロールを用い幅広の長尺シートに成形するカレンダー成形、コーティング装置を用いてガラスクロスなどの基材へ塗工するコーティング成形、インジェクション成形、巻きむし成形などが挙げられる。
【００２５】
絶縁層３０と絶縁層３１の弾性率が異なるように形成するための方法としては、各々を異なる材質で形成する方法が挙げられる。たとえば、絶縁層３０をポリスチレン、ポリプロピレン、ポリカーボネート、エポキシ、ポリエチレンテレフタレート、ポリアセタールなどの合成樹脂シートで形成し、絶縁層３１をシリコーンゴム、アクリルゴム、ブタジエンゴム、ウレタンゴムなどの合成樹脂シートにする組み合わせや、絶縁層３０を不織布シートや、ポリスチレン、ポリアセタールなどの合成樹脂シートで形成し、絶縁層３１をフッ素、ポリエチレンなどの合成樹脂シートにする組み合わせなどが挙げられる  
【００２６】
絶縁層３０と絶縁層３１の厚みの比率は特に限定されないが、絶縁層３１の方を絶縁層３０よりも厚く形成した方が好ましい。絶縁層３１はせん断力６０を感知するメインの層であるため、変形できるだけのある程度の厚みが必要になるためである。また、絶縁層３１のみを発泡体にしたり、絶縁層３０と絶縁層３１とで発泡体の気泡のサイズを異ならせたり、発泡体の気泡の密度を異ならせたりして、絶縁層３０と絶縁層３１の弾性率が異なるように形成する方法もある。
【００２７】
この場合、絶縁層３０、絶縁層３１は全く同じ材質、厚みで形成されていてもよい。発泡体は合成樹脂中にガスを細かく分散させ、発泡状または多孔質形状に成形されたものであり。とくに、ポリエチレン、ポリプロピレン、ポリスチレンなどは、それ自体のシートのみでは弾性力が弱く発泡体にすることにより弾性力が向上するので、これらの合成樹脂を絶縁層３１の材質として選択する場合は、発泡体にするのが好ましい。
【００２８】
発泡体の製造方法は、アゾジカーボンアミドや炭酸水素塩などの熱分解型発泡剤やフロンや炭化水素などを熱可塑性樹脂カプセルでくるんだ熱膨張性マイクロカプセル発泡剤を前記合成樹脂中に分散させ、熱が加わるビーズ発泡、バッチ発泡、プレス発泡、常圧二次発泡、射出発泡、押出発泡、発泡ブローなどの成形方法で製造する方法が挙げられる。
【００２９】
絶縁層３０、絶縁層３１の気泡の密度をほぼ同じにする場合、泡の平均体積サイズを絶縁層３０よりも絶縁層３１の方が平均１．３倍以上大きくなるようにすると、絶縁層３０の弾性率／絶縁層３１の弾性率の比率を１．１以上にすることができ、好ましい。また、絶縁層３０、絶縁層３１の気泡の平均体積サイズをほぼ同じにする場合、泡の密度を絶縁層３０よりも絶縁層３１の方が平均１．３倍以上大きくなるようにすると、絶縁層３０の弾性率／絶縁層３１の弾性率の比率を１．１以上にすることができ、好ましい。
【００３０】
所望の気泡の平均体積サイズにしたり所望の気泡の密度にするための方法としては、適した大きさのマイクロカプセル発泡剤を選択し適した量配合する方法のほか、発泡の過程で雰囲気圧力（外気圧）を一定の圧力に減圧または加圧して気泡の成長を促進または阻害することで得る方法もある。
【００３１】
発泡体の中でも、材質がシリコーン系樹脂から構成されているシリコーンフォームが好ましい。温度による弾性変化が少なく低温下での測定にも対応できるメリットがあり、耐久性が高いため、大きな変位による歪や応力が繰り返し加わったとしても、破断、変形を防ぐことができる。その結果、タイヤのよう荷重が大きな物を測定する場合から、靴底などのような荷重が小さな物を測定する場合など、あらゆる分野での接地状態を測定するための装置に使用できる。
【００３２】
シリコーンフォームは  シリコーンゴムを独立発泡または半独立発泡させた発泡体であり、前述したように発泡剤をシリコーンゴム中に添加し加熱発泡させるタイプのほか、二成分型の液状シリコーンからなる自己発泡反応タイプなどが挙げられる。自己発泡反応タイプシリコーンフォームで絶縁層３０を製造する方法としては、液状のシリコーンゴム原料を二枚のキャリアシートでサンドイッチ状とし、それをカレンダーロールの間を通して分出しシート形状にして加硫発泡させるカレンダー成形法、液状のシリコーンゴム原料をシートの上などに規制を受けない形でチャージし加硫発泡させるフリー発泡法、金型の中にシリコーン液状の原料を注ぎこみ加硫発泡させる注型成形法などが挙げられる。
【００３３】
また、絶縁層３０、絶縁層３１のいずれかのみを電気粘性流体で構成してもよい。あるいは、絶縁層３０と絶縁層３１の両方とも電気粘性流体で構成し、粘弾性の異なるよう構成してもよい。電気粘性流体は電界を印加したり除去したりすることによって粘弾性特性が可逆的に変化する流体のことであり、液晶などの単一物質からなる均一系電気粘性流体や、絶縁液体などに粒子を分散させた分散系電気粘性流体などが挙げられる。とくに、分散系電気粘性流体の場合は、電界の有無によって固液相変化が可能であり、より好ましい。
【００３４】
絶縁層３０、絶縁層３１を粘弾性の異なる複数の電気粘性流体で構成した場合、たとえば粘弾性が高い上側の絶縁層３１では押圧した際のたわみに応じた絶縁層３１の変形が感度良くなされ、粘弾性が低い下側の絶縁層３１ではその変形が過度になることを抑制し、その下にある第一電極が破損・劣化しないよう保護する効果を持たすことができる。また、斜め方向のせん断力の測定値の誤差の原因となるずれを軽減するため、Ｚ軸方向の圧力だけでなくＸＹ軸方向のせん断力の測定値もより正確に計測することができる。
【００３５】
分散系電気粘性流体に使用する粒子としては、炭素質や絶縁質からなる多孔質な微粒子が挙げられる。微粒子の平均粒径は５〜３０μｍが好ましい。分散系電気粘性流体に使用する絶縁液体としては、シリコーンオイルなどが挙げられる。また、絶縁液体に架橋剤や白金触媒などを添加し熱処理を施して、電気粘性流体をゲル化してもよい。分散系電気粘性流体の製造方法は、乾燥後の多孔質粒子を電気絶縁性液体の分解温度以上に維持したまま攪拌しながら電気絶縁性液体に添加することにより、多孔質粒子の近傍に存在する電気絶縁性液体を分解させて低分子量の有機化合物を生成させ、その有機化合物を多孔質粒子の表面に均一に吸着させる方法が挙げられる。
【００３６】
第二電極４０の材質は特に限定されないが、例えば、金、銀、銅、白金、パラジウム、アルミニウム、ロジウム等の金属膜のほか、これらの金属粒子を樹脂バインダーに分散させた導電ペースト膜あるいはポリへキシルチオフェン、ポリジオクチルフルオレン、ペンタセン、テトラベンゾポルフィリンなどの有機半導体などが挙げられる。第二電極４０の製造方法は、前者の場合、メッキ法、スパッタリング法、真空蒸着法、イオンプレーティング法等で導電膜を全面形成した後にエッチングによりパターニングする方法が挙げられ、後者の場合、スクリーン、グラビア、オフセットなどの印刷法等で直接パターン形成する方法が挙げられる。
【００３７】
第二電極４０は、絶縁層３０または絶縁層３１の上部に形成し、一層のみでもよいし二層以上の多層から成り立っていてもよい。絶縁層３０および絶縁層３１の両方に形成されていてもよい。第二電極４０のパターンとしては、丸状、角状、線状などいずれの形状であってもよい。第二電極４０の厚みは、０．１μｍ〜１００μｍの範囲内で適宜選択するとよい。第二電極４０の各々からは配線パターンが接続され、外部にあるコントローラーと電気接続される。そして、前記第一電極２０と前記複数の第二電極４０との間で発生する静電容量値の変化を検出することにより、前記保護層５０上から加わるせん断力６０を算出できる。
【００３８】
第一電極２０も、金、銀、銅、白金、パラジウム、アルミニウム、ロジウム等の金属膜のほか、これらの金属粒子を樹脂バインダーに分散させた導電ペースト膜、あるいはポリへキシルチオフェン、ポリジオクチルフルオレン、ペンタセン、テトラベンゾポルフィリンなどの有機半導体などが挙げられるが、特に限定されない。形成方法は、第二電極４０と同様の方法で形成できるが、絶縁層３０の下部に位置する基板１０上に形成する。。基板１０としては、ガラスエポキシ基板、ポリイミド基板、ポリブチレンテレフタレート樹脂基板などが挙げられるが、特に限定されない。厚みは０．１ｍｍ〜３ｍｍの間ぐらいで適宜選択するとよい。
【００３９】
保護層５０は、上部から加わるせん断力６０から、下部にある第一電極２０や前記第二電極４０を保護するための層である。保護層５０の材質としては、アクリル、ウレタン、フッ素、ポリエステル、ポリカーボネート、ポリアセタール、ポリアミド、オレフィンなどの熱可塑性または熱硬化性樹脂シートのほか、シアノアクリレートなどの紫外線硬化型樹脂シートなどが挙げられるが、とくに限定されない。
【００４０】
しかし、保護層５０は、せん断力６０を絶縁層３０に的確に伝えるための役割も果たす層であるため、保護膜としての特性とともに圧力伝達体としての特性も有している必要がある。そのため、好ましいのは、アクリルゴム成分を１０％以上含むアクリル系樹脂、ウレタン系樹脂、フッ素系樹脂、ポリエチレンテレフタレートなどのポリエステル樹脂である。保護層５０の厚みは、材質によって異なるものの３０μｍ〜５ｍｍの間で適宜選択するとよい。
【００４１】
保護層５０の上から加わるせん断力６０はいずれの方式で算出しても構わないが、例えば、前記第一電極２０と前記複数の第二電極４０との間で発生する静電容量値の変化を検出することにより算出する方式が挙げられる。すなわち、せん断力６０の押圧力によって、保護層５０および絶縁層３０が凹状に変形し、それによって絶縁層上に形成されていた複数の第二電極４０と基板１０上に形成されていた第一電極２０との距離が変化する。その距離の変化は、せん断力６０の押圧力および複数の第二電極４０と第一電極２０との間の静電容量値の変化と相関性がある。したがって、複数の第二電極４０と第一電極２０との間の静電容量値の変化を測定すれば、間接的にせん断力６０の押圧力が測定できる。
【００４２】
そして、斜めの方向からせん断力６０が加わった場合（すなわちＺ軸方向の圧力のみでなく、ＸＹ軸方向のせん断力の成分がある場合）、たとえば複数の第二電極４０のうちの一点の第二電極４１は、その真下にある一点の第一電極２１だけではなく、第一電極２１の隣の第一電極２２との間の距離も変化する（図２、図３参照）。すなわち、第二電極４１と第一電極２１との間の静電容量値の変化と第二電極４１と第一電極２２との間の静電容量値の変化とを測定すれば、斜めの方向のせん断力６０の強さを測定できる。
【００４３】
この点は従来技術として掲げた特許文献１（特開２０１８−７２０４１号公報）にない本発明の長所であり、実際、タイヤや靴底などの接地状態での圧力は保護層５０の真上から加わるＺ軸方向のみの圧力だけではなく、斜め方向から加わるＸＹ軸方向の力の成分がある場合が常なため、本発明は、実製品での接地状態に則した発明であると言える。
【００４４】
なお、この一点の第二電極４１のＸＹ方向の変位が、周縁のほかの第二電極に影響を与え、それがノイズとなって測定したい静電容量値の感度に影響を与えないようにするために、表面に切り目を入れてもよい（図４参照）。すなわち、第二電極４０各々が独立して動き、一点の第二電極４１の変位が周囲のその他の第二電極４０には影響を与えないようにする。この切り目を入れる場合は、絶縁層３０の厚みは、やや厚めの５００μｍ〜５ｍｍの範囲にするのが好ましい。
【００４５】
切り目の形態としては、例えば点線状、破線状、長鎖線状、一点鎖線状、長二点鎖線状などが挙げられる。切れ目は一本の線であってもよいし複数の線であってもよい。切れ目の深さは、完全に貫通していてもよいし、途中までのハーフカット状であってもよい。切り目の形成方法としては、例えばトムソン刃の打ち抜き方法などが挙げられる。
【実施例１】
【００４６】
以下、本発明の実施例１として、タイヤの接地状態測定装置に用いた場合の圧力センサーシートについて記載する。実施例１の圧力センサーシートは、以下の手順で製造した。液状シリコーンゴム、加硫架橋剤、トリエチルアミン触媒、フェノール誘導体の安定剤およびメタン内包マイクロカプセル発泡剤を重量比１０：４：０．３：０．１：０．２の割合で配合・撹拌させた絶縁層原料および液状シリコーンゴム、加硫架橋剤、トリエチルアミン触媒、フェノール誘導体の安定剤およびメタン内包マイクロカプセル発泡剤を重量比１０：４：０．３：０．１：０．４の割合で配合・撹拌させた絶縁層原料を、それぞれ別々に１２５μｍ厚のポリエステル製キャリアシート上に、０．３ｍｍ厚の間隙をもたせたカレンダーロールの間を通して順次分出しをし、絶縁層を作成した。次いで、１２０℃の加熱炉を通すことで、液状シリコーンゴムを架橋させシート状にするとともに、マイクロカプセルを発砲させたところ、それぞれ気泡の平均体積サイズが５μｍのシリコーンフォームからなる絶縁層と気泡の平均体積サイズが３０μｍのシリコーンフォームからなる絶縁層（両方とも幅４０ｃｍ、長さ２ｍ）とが形成された。
【００４７】
この絶縁層をダンベル１号試験片の形状にカットし、非接触方式の伸び幅計を使用して、ＪＩＳ Ｋ ７１２７およびＪＩＳ Ｋ ７１６１に準拠した引張試験の方法にて弾性率を計測したところ、気泡の平均体積サイズが５μｍのシリコーンフォームからなる絶縁層は０．２であり、気泡の平均体積サイズが３０μｍのシリコーンフォームからなる絶縁層は０．０５であった。前者の絶縁層上に、ピッチが１．５ｍｍ間隔でパターンが１ｍｍ正方形状の銀ペーストからなる第二電極を、スクリーン印刷法にて絶縁層に形成し、ウレタン接着剤を介して後者の絶縁層を積層した。次いで、後者の絶縁層の上面に、ポリカーボネート系樹脂からなる厚さ０．５ｍｍの保護層を、ウレタン系接着剤を介して積層し、絶縁層の下面には、３５μｍ厚の第一電極が形成された１ｍｍ厚のガラスエポキシ樹脂基板を積層して、圧力センサーシートを得た。上記複数の第二電極および第一電極は、引き出し配線を通じて静電容量値の変化を検出できるコントローラーに接続した。
【００４８】
上記製造された圧力センサーシートを用いて、―４０℃、１０℃、６０℃の各環境温度下において、タイヤ幅１９５ｍｍ、偏平率６５％、ホイールサイズ１５インチからなるラジアルタイヤの走行速度４０ｋｍ／時における圧力をテストした。その測定結果は以下の通りであり、Ｚ軸方向圧力のみならずＸＹ軸方向せん断力も測定できた。また、低温環境下では、ＸＹ軸方向せん断圧力が増加する傾向が見られ、せん断圧力の測定の意義が確認された。また、このような広い環境温度で測定できるシリコーンフォームの絶縁層で形成される圧力センサーシートの意義も確認できた。
【表１】
2020046372.tif 000003
【実施例２】
【００４９】
以下、本発明の実施例２として、靴底の接地状態測定装置に用いた場合の圧力センサーシートについて記載する。実施例２の圧力センサーシートは、以下の手順で製造した。ポリカーボネート樹脂からなる厚さ５００μｍの絶縁層を押出成形によってシート化した。このシート化した絶縁層をダンベル１号試験片の形状にカットし、非接触方式の伸び幅計を使用して、ＪＩＳ Ｋ ７１２７およびＪＩＳ Ｋ ７１６１に準拠した引張試験の方法にて弾性率を計測したところ２．３であった。次いでこの絶縁層をカレンダーロールの間を通し、同時にウレタンゴム原料を供給して、厚さ５００μｍポリカーボネート樹脂と厚さ７００μｍのウレタンゴム樹脂からなる総厚０．１２ｍｍからなる絶縁層積層体（幅４０ｃｍ、長さ２ｍ）を作成した。このウレタンゴム樹脂からなる絶縁層単体での弾性率を、予め別途計測したところ０．２であった。なお、作成した絶縁層積層体の弾性率は２．０であった。
【００５０】
この絶縁層積層体のウレタンゴム樹脂絶縁層上に、ピッチが１．５ｍｍ間隔でパターンが１ｍｍ正方形状の銅からなる複数の第二電極を、部分メッキ法にて絶縁層の全面に形成した。次いで、絶縁層の上面に、アクリル系樹脂からなる厚さ０．０５ｍｍの保護層をシリコーン系接着剤を介して積層し、絶縁層の下面には、３５μｍ厚の第一電極が形成された０．１ｍｍ厚のポリイミド樹脂フィルム基板を積層して、圧力センサーシートを得た。上記複数の第二電極および第一電極は、引き出し配線を通じて静電容量値の変化を検出できるコントローラーに接続した。
【００５１】
上記製造された圧力センサーシートを用いて、２０℃の環境温度下において、サイズ２７ｃｍで圧力センサーシートが取り付けられた靴を履いた試験者に歩行速度２ｋｍ／時、４ｋｍ／時、６ｋｍ／時で歩行してもらい、各歩行速度における圧力をテストした。その測定結果は以下の通りであり、Ｚ軸方向圧力のみならずＸＹ軸方向せん断力も測定できた。また、歩行速度が高いほど、靴底に掛かるＸＹ軸方向せん断力が増加する傾向が見られ、せん断圧力の測定の意義が確認された。
【表２】
2020046372.tif 000004
【実施例３】
【００５２】
以下、本発明の実施例３として、パーソナルコンピューターのトラックパットに用いた場合の圧力センサーシートについて記載する。実施例３の圧力センサーシートは、以下の手順で製造した。ポリスチレン樹脂材料中にアゾジカーボンアミド発泡剤および平均粒径３０μｍのカーボンブラックを重量比１０：０．６：０．１の割合で分散させ、０．５ｍｍ厚の間隙をもたせた押出成形機の間を通してシート状の絶縁層を二枚形成した。次いで、熱を加えてビーズ発泡させながら圧力を加えて、二枚のうち一枚には表面にザグリ状の凹凸を付けた。このザグリ状の凹凸を付けた側を上にして、二枚の絶縁層をエポキシ樹脂接着剤を介して貼り合わせて、総厚１．１ｍｍからなる絶縁層積層体（５ｍｍ角）を作成した。この発泡ポリスチレン樹脂からなる絶縁層単体での弾性率を、予め別途計測したところ０．２１と０．２５であった。なお、作成した絶縁層積層体の弾性率は０．２２であった。
【００５３】
この絶縁層積層体の発泡ポリスチレン樹脂絶縁層上に、ピッチが０．３ｍｍ間隔でパターンが０．６ｍｍ正方形状の銅からなる複数の第二電極を、部分メッキ法にて絶縁層の全面に形成した。次いで、絶縁層の上面に、アクリル系樹脂からなる厚さ０．０５ｍｍの保護層をシリコーン系接着剤を介して積層し、絶縁層の下面には、３５μｍ厚の第一電極が形成された０．１ｍｍ厚のポリイミド樹脂フィルム基板を積層して、圧力センサーシートを得た。上記複数の第二電極および第一電極は、引き出し配線を通じて静電容量値の変化を検出できるコントローラーに接続した。
【００５４】
上記製造された圧力センサーシートを用いて、２０℃の環境温度下において、サイズ半径２ｍｍで圧力センサーシートが取り付けられたトラックパットを試験者に速度２ｍｍ／秒、１０ｍｍ／秒、４０ｍｍ／秒でなぞってもらい、各速度における圧力をテストした。その測定結果は以下の通りであり、Ｘ軸方向圧力のみならずＹ軸方向のせん断力も測定できた。また、なぞる速度が高いほど、トラックパットに掛かるＸＹ軸方向のせん断力が増加する傾向が見られ、せん断力の測定の意義が確認された。
【表３】
2020046372.tif 000005
【符号の説明】
【００５５】
１      圧力センサーシート
１０    基板
２０、２１、２２  第一電極
３０、３１  絶縁層
４０、４１  第二電極
５０    保護層
６０    せん断力
【図１】
2020046372.tif 000006
【図２】
2020046372.tif 000007
【図３】
2020046372.tif 000008
【図４】
2020046372.tif 000009